(57)【要約】【課題】できるだけ放送の切り替えに用いる閾値がフルセグ放送を優先する閾値となるようにした上で、放送の切り替えが頻繁に発生することを抑制し、閾値の切り替えに由来するユーザーの煩雑さを低減した「デジタル放送受信装置および放送切替方法」を提供する。【解決手段】デジタル放送受信装置１は、ＢＥＲ検出部１６が検出する検出ＢＥＲがワンセグ優先閾値よりも受信品質が悪いフルセグ優先閾値付近で推移している場合は使用閾値をワンセグ放送優先のワンセグ優先閾値に設定し、それ以外の場合は使用閾値をフルセグ優先閾値に設定し、使用閾値と検出ＢＥＲとの比較に基づいて出力する放送を切り替える。これにより、放送が頻繁に切り替わってしまう場合にのみ使用閾値としてワンセグ優先閾値を用い、それ以外の場合はフルセグ優先閾値を用いて出力する放送の切り替えを行うようにしている。【選択図】図１
2019192955.tif 000002
【特許請求の範囲】
【請求項１】
移動体に搭載され、フルセグ放送およびワンセグ放送を受信可能なデジタル放送受信装置であって、
放送の受信品質値を検出する受信品質値検出部と、
フルセグ放送を出力中に前記受信品質値検出部により検出された受信品質値が、出力する放送の切り替えに用いる使用閾値よりも悪くなった場合は、出力する放送をワンセグ放送に切り替える一方、ワンセグ放送を出力中に前記受信品質値検出部により検出された受信品質値が前記使用閾値よりも良くなった場合は、出力する放送をフルセグ放送に切り替える出力放送切替部と、
現時点から所定時間遡った対象期間において前記受信品質値検出部により検出された受信品質値がワンセグ優先閾値よりも受信品質が悪いフルセグ優先閾値付近で推移しているか否かを判定し、前記フルセグ優先閾値付近で推移している場合は、前記使用閾値の値を前記フルセグ優先閾値付近以外の値に設定し、前記フルセグ優先閾値付近で推移していない場合は、前記使用閾値の値を前記フルセグ優先閾値に設定する閾値設定処理を実行する閾値設定部と、
を備えることを特徴とするデジタル放送受信装置。
【請求項２】
前記閾値設定部は、前記閾値設定処理において、
前記対象期間において前記受信品質値検出部により検出された受信品質値が前記フルセグ優先閾値付近で推移している場合は、前記使用閾値の値を、前記フルセグ優先閾値よりも受信品質が良い値に設定する
ことを特徴とする請求項１に記載のデジタル放送受信装置。
【請求項３】
前記閾値設定部は、前記閾値設定処理において、
前記対象期間において前記受信品質値検出部により検出された受信品質値が前記フルセグ優先閾値付近で推移している場合は、前記使用閾値の値を、前記ワンセグ優先閾値に設定する
ことを特徴とする請求項２に記載のデジタル放送受信装置。
【請求項４】
前記閾値設定部は、前記閾値設定処理において、
前記対象期間において前記受信品質値検出部により検出された受信品質値が前記フルセグ優先閾値付近で推移している場合は、前記使用閾値の値を、前記フルセグ優先閾値よりも受信品質が良く前記ワンセグ優先閾値よりも受信品質が悪い暫定閾値に設定する
ことを特徴とする請求項２に記載のデジタル放送受信装置。
【請求項５】
動作モードとして、前記使用閾値の値が前記フルセグ優先閾値に設定されるフルセグ優先モードと、前記使用閾値の値が前記ワンセグ優先閾値に設定されるワンセグ優先モードと、前記閾値設定部が実行する前記閾値設定処理により前記使用閾値の値が設定される自動設定モードとを備える
ことを特徴とする請求項１から４の何れか１項に記載のデジタル放送受信装置。
【請求項６】
前記受信品質値検出部は、ＢＥＲを検出するＢＥＲ検出部と、Ｃ／Ｎ値を検出するＣ／Ｎ値検出部とを有し、
前記出力放送切替部は、
ＢＥＲを値として有する前記使用閾値と、前記ＢＥＲ検出部により検出されたＢＥＲとの比較に基づいて出力する放送を切り替え、
前記閾値設定部は、
前記対象期間において前記Ｃ／Ｎ値検出部により検出されたＣ／Ｎ値が所定範囲内で推移している確率を、前記対象期間において前記ＢＥＲ検出部により検出されたＢＥＲが前記フルセグ優先閾値付近で推移している確率として算出し、算出した確率が基準値を上回る場合は、前記使用閾値の値を前記フルセグ優先閾値付近以外の値に設定し、算出した確率が前記基準値以下の場合は、前記使用閾値の値を前記フルセグ優先閾値に設定する
ことを特徴とする請求項１から５の何れか１項に記載のデジタル放送受信装置。
【請求項７】
移動体に搭載され、放送の受信品質値を検出する受信品質値検出部を有し、フルセグ放送およびワンセグ放送を受信可能なデジタル放送受信装置による放送切替方法であって、
前記デジタル放送受信装置の閾値設定部が、現時点から所定時間遡った対象期間において前記受信品質値検出部により検出された受信品質値がワンセグ優先閾値よりも受信品質が悪いフルセグ優先閾値付近で推移しているか否かを判定し、前記フルセグ優先閾値付近で推移している場合は、出力する放送の切り替えに用いる使用閾値の値を前記フルセグ優先閾値付近以外の値に設定し、前記フルセグ優先閾値付近で推移していない場合は、前記使用閾値の値を前記フルセグ優先閾値に設定するステップと、
前記デジタル放送受信装置の出力放送切替部が、フルセグ放送を出力中に前記受信品質値検出部により検出された受信品質値が前記使用閾値よりも悪くなった場合は、出力する放送をワンセグ放送に切り替える一方、ワンセグ放送を出力中に前記受信品質値検出部により検出された受信品質値が前記使用閾値よりも良くなった場合は、出力する放送をフルセグ放送に切り替えるステップと、
を備えることを特徴とする放送切替方法。
【発明の詳細な説明】
【技術分野】
【０００１】
本発明は、デジタル放送受信装置および受信放送切替方法に関し、特に、移動体に搭載され、フルセグ放送およびワンセグ放送を受信可能なデジタル放送受信装置および当該デジタル放送受信装置による放送切替方法に用いて好適なものである。
【背景技術】
【０００２】
従来、フルセグ放送およびワンセグ放送を受信可能なデジタル放送受信装置について、フルセグ放送を優先的に出力するフルセグ優先モードと、ワンセグ放送を優先的に出力するワンセグ優先モードとの２つの動作モードを備える装置が知られている。フルセグ優先モードでは、フルセグ優先閾値と受信品質値（例えば、ＢＥＲ：Bit Error Rate）との比較に基づいて出力する放送が切り替えられ、ワンセグ優先モードでは、フルセグ優先閾値より受信品質が良いワンセグ優先閾値と受信品質値との比較に基づいて出力する放送が切り替えられる。
【０００３】
このため、動作モードがフルセグ優先モードの場合、ワンセグ優先モードの場合と比較して、フルセグ放送を受信中は、受信品質値がより悪い状態となったときにフルセグ放送からワンセグ放送に切り替わり、一方、ワンセグ放送を受信中は受信品質がより悪い状態でもワンセグ放送からフルセグ放送に切り替わることになり、フルセグ放送が優先的に出力されることになる。逆に、動作モードがワンセグ優先モードの場合、フルセグ優先モードの場合と比較して、フルセグ放送を受信中は、受信品質値がより良好な状態でフルセグ放送からワンセグ放送に切り替わり、一方、ワンセグ放送を受信中は受信品質値がより良好な状態となったときにワンセグ放送からフルセグ放送に切り替わることになり、ワンセグ放送が優先的に出力されることになる。従来、ワンセグ優先モードと、フルセグ優先モードとの切り替えは、ユーザーが手動で行う構成となっており、ユーザーは、現時点での受信環境等に応じて、動作モードを手動で切り替えていた。
【０００４】
なお、従来、フルセグ放送およびワンセグ放送を受信可能なデジタル放送受信装置について、フルセグ放送とワンセグ放送との切り替えに関する様々な技術が提案されている。
【０００５】
例えば、特許文献１には、フルセグ放送（高階層のデータ）からワンセグ放送（低階層のデータ）へと切り替えるときのＢＥＲ（誤り率）の閾値（判定レベル）を異ならせ、さらに、ワンセグ放送からフルセグ放送に切り替えるときは、ＢＥＲが閾値よりも良好化し、かつ、Ｃ／Ｎ値によりフルセグ放送が安定して受信可能であることが予測される場合にのみ、切替を実行する技術が記載されている。この特許文献１の技術によれば、ワンセグ放送からフルセグ放送に切り替えた後に、すぐにワンセグ放送に戻ってしまうという事態が頻繁に発生することを防止することができ、フルセグ放送とワンセグ放送との間での切り替えが頻繁に発生することを抑制することができる。
【０００６】
また、特許文献２には、フルセグ放送（１２セグ放送）のＢＥＲ（誤り率）が閾値を超えるとワンセグ放送（１セグ放送）に切り替えると共に、ワンセグ放送に切り替えた後は、ＢＥＲの状態にかかわらず、一定時間の間は必ずワンセグ放送を出力する技術が記載されている。この特許文献２の技術によれば、ワンセグ放送に切り替えた後に、すぐにフルセグ放送に切り替わってしまうことを防止することができ、フルセグ放送とワンセグ放送との間での切り替えが頻繁に発生することを抑制することができる。
【０００７】
また、特許文献３には、Ｃ／Ｎ値が第１の閾値を下回るという第１の条件を満たした後、５秒経過した場合にワンセグ放送（低階層）に切り替える一方、Ｃ／Ｎ値が第２の閾値を上回るという第２の条件を満たした後、第２の条件が所定期間にわたって継続した時点でフルセグ放送（高階層）に切り替える技術が記載されている。この特許文献３の技術によれば、ワンセグ放送とフルセグ放送との間での切り替えが頻繁に発生することを抑制できる。
【０００８】
また、特許文献４には、以下の技術が記載されている。すなわち、まず、ＢＥＲが複数の範囲に分類され、範囲ごとに係数が設定される。係数は、最低値が負の値であり、最高値が正の値であり、ＢＥＲの値が良好な範囲ほど対応する係数の値は大きい。そして、デジタル放送受信装置は、ＢＥＲを定期的に（例えば１秒ごと）に検出し、検出したＢＥＲが属する範囲の係数を特定し、特定した係数に基づいてカウンターを増減させる。カウンターがカウンター上限値を超えた場合、ＢＥＲが良好な状態が続いたとみなすことができるため、デジタル放送受信装置は、出力する放送をフルセグ放送（１２Ｓｅｇ）に切り替える。一方、カウンターがカウンター下限値を超えた場合、ＢＥＲが悪い状態が続いたとみなすことができるため、デジタル放送受信装置は、出力する放送をワンセグ放送（１Ｓｅｇ）に切り替える。
【０００９】
また、特許文献４には、カウンターを２つ設け、さらに、カウンターごとに２タイプの係数を用意し、各カウンターの値に基づいて、フルセグ放送とワンセグ放送との間での切り替えを行う技術についても記載されている。この特許文献４の技術によれば、ＢＥＲが良好な状態が継続することが予測される場合、つまりフルセグ放送に切り替えた後に安定してフルセグ放送を出力できると想定される場合にフルセグ放送への切り替えが行われるため、フルセグ放送を出力しているときのブロックノイズを低減しつつ、ワンセグ放送とフルセグ放送との間での切り替えが頻繁に発生することを抑制できる。
【先行技術文献】
【特許文献】
【００１０】
【特許文献１】特開２００２−１１８６１１号公報
【特許文献２】特開２００７−１８９４９７号公報
【特許文献３】特開２００８−１０９５４７号公報
【特許文献４】特開２００８−２５９１１１号公報
【発明の概要】
【発明が解決しようとする課題】
【００１１】
動作モードとしてフルセグ優先モードとワンセグ優先モードとを有するデジタル放送受信装置のように、出力する放送の切り替えに用いる閾値について、フルセグ放送に優先的に切り替わるフルセグ優先閾値と、ワンセグ放送に優先的に切り替わるワンセグ優先閾値との何れかにユーザーが手動で切り替えるように構成されたデジタル放送受信装置では、以下の問題がある。すなわち、基本的に、ユーザーが現時点での受信環境に応じて閾値を手動で切り替える必要があり、ユーザーにとって煩雑である。多くの場合、このような煩雑さを回避するため、ユーザーは、閾値をフルセグ放送優先のフルセグ優先閾値とし、以後、手動による閾値の切り替えを行わない。これは、ワンセグ放送よりフルセグ放送の方が映像の品質が良く、できるだけフルセグ放送を視聴したいとするユーザーのニーズがあるからである。この場合、煩雑さは低減するが、受信環境によってはワンセグ放送とフルセグ放送との間での切り替わりが頻繁に発生し、放送を視聴するユーザーの快適性が損なわれることがあった。
【００１２】
なお、特許文献１〜４には、フルセグ放送を優先的に出力するフルセグ優先閾値と、ワンセグ放送を優先的に出力するワンセグ優先閾値とのいずれかを用いて、出力する放送の切り替えを行うことが可能なデジタル放送受信装置についての記載はない。
【００１３】
本発明は、このような問題を解決するために成されたものであり、フルセグ放送を優先的に出力する閾値と、ワンセグ放送を優先的に出力する閾値との何れかを用いて出力する放送の切り替えを行うことが可能なデジタル放送受信装置について、出力される放送の切り替えに用いる閾値が、できるだけフルセグ放送を優先的に出力する閾値となるようにした上で、フルセグ放送とワンセグ放送との間での切り替えが頻繁に発生することを抑制し、かつ、閾値の設定に由来するユーザーの煩雑さを低減することを目的とする。
【課題を解決するための手段】
【００１４】
上記した課題を解決するために、本発明のデジタル放送受信装置は、現時点から所定時間遡った対象期間においてワンセグ優先閾値よりも受信品質が悪いフルセグ優先閾値付近で受信品質値が推移しているか否かを判定し、フルセグ優先閾値付近で推移している場合は、使用閾値の値をフルセグ優先閾値付近以外の値に設定し、フルセグ優先閾値付近で推移していない場合は、使用閾値の値をフルセグ優先閾値に設定する。そして、本発明のデジタル放送受信装置は、フルセグ放送を出力中に受信品質値が使用閾値よりも悪くなった場合は、出力する放送をワンセグ放送に切り替える一方、ワンセグ放送を出力中に受信品質値が使用閾値よりも良くなった場合は、出力する放送をフルセグ放送に切り替える。
【発明の効果】
【００１５】
上記のように構成した本発明によれば、対象期間において受信品質値がフルセグ優先閾値付近で推移していない場合、使用閾値の値がフルセグ優先閾値に設定されるためフルセグ放送を優先的に出力できる。しかも、受信品質値がフルセグ優先閾値付近で推移していないので、フルセグ放送とワンセグ放送との間で頻繁に切り替わりが発生しない。一方、対象期間において受信品質値がフルセグ優先閾値付近で推移している場合は、使用閾値の値がフルセグ優先閾値以外の値に設定されるので、フルセグ放送とワンセグ放送との間で頻繁に切り替わりが発生することを回避できる。そして、使用閾値の値がワンセグ優先閾値に設定される場合を、対象期間において受信品質値がフルセグ優先閾値付近で推移している場合のみに限定することができるので、使用閾値をできるだけワンセグ放送を優先的に出力するフルセグ優先閾値となるようにすることができる。さらに、使用閾値の値の設定は自動で実行されるため、ユーザーが閾値を設定する作業を行う必要なく、ユーザーの煩雑さを低減できる。
【図面の簡単な説明】
【００１６】
【図１】本発明の一実施形態に係るデジタル放送受信装置の構成例を示す図である。
【図２】本発明の一実施形態に係る制御部の機能構成例を示すブロック図である。
【図３】検出Ｃ／Ｎ値の推移、検出ＢＥＲの推移、出力される放送が切り替わる様子、および、使用閾値が切り替わる様子を時間の経過に従って示す図である。
【図４】本発明の一実施形態に係る出力放送切替部の動作例を示すフローチャートである。
【図５】本発明の一実施形態に係る閾値設定部の動作例を示すフローチャートである。
【発明を実施するための形態】
【００１７】
以下、本発明の一実施形態を図面に基づいて説明する。図１は、本実施形態に係るデジタル放送受信装置１の構成例を示す図である。デジタル放送受信装置１は、車両（移動体）に搭載され、フルセグ放送およびワンセグ放送を受信可能な装置である。図１に示すように、デジタル放送受信装置１は、４つのチューナ１０〜１３を備え、４つのチューナ１０〜１３はそれぞれ、４つのアンテナ１０ａ〜１３ａに接続されている。チューナ１０〜１３はそれぞれ、アンテナ１０ａ〜１３ａによって受信したデジタル放送の電波から所望のチャンネルに合致した受信周波数の放送波信号を選択的に抽出して出力する。
【００１８】
ダイバシティ合成部１４は、チューナ１０〜１３から放送波信号を入力し、入力した放送波信号をＯＦＤＭ（Orthogonal Frequency-Division Multiplexing）復調してトランスポートストリーム（Transport Stream：以下、ＴＳと記す）を生成する。さらに、ダイバシティ合成部１４は、各ＴＳの位相を調整して合成するダイバシティ合成を実行し、合成後のＴＳを出力する。
【００１９】
誤り訂正部１５は、ダイバシティ合成部１４からＴＳを入力し、入力したＴＳに対して、伝送路で発生した誤りの訂正を実行し、誤り訂正後のＴＳを出力する。Ｃ／Ｎ値検出部１７は、ダイバシティ合成部１４によりダイバシティ合成されたＴＳのＣ／Ｎ値（搬送波対雑音比）を検出する。
【００２０】
デマルチプレクサ部１８は、ＴＳに多重化されている音声ストリーム、映像ストリームおよびデータストリームを分離し取得する。デマルチプレクサ部１８は、フルセグ放送の音声ストリームをフルセグ放送用オーディオデコーダ部１９に出力し、ワンセグ放送の音声ストリームをワンセグ放送用オーディオデコーダ部２０に出力する。また、デマルチプレクサ部１８は、フルセグ放送の映像ストリームをフルセグ放送用ビデオデコーダ部２１に出力し、ワンセグ放送の映像ストリームをワンセグ放送用ビデオデコーダ部２２に出力する。また、デマルチプレクサ部１８は、データストリームをデータデコーダ部２３に出力する。
【００２１】
フルセグ放送用オーディオデコーダ部１９およびワンセグ放送用オーディオデコーダ部２０は、それぞれ入力した音声ストリームをデコードして音声信号として出力する。フルセグ放送用ビデオデコーダ部２１およびワンセグ放送用ビデオデコーダ部２２は、それぞれ入力した映像ストリームをデコードして映像信号として出力する。データデコーダ部２３は、入力したデータストリームをデコードして制御データとして制御部２４に出力する。ＢＥＲ検出部１６は、データデコーダ部２３によるデータストリームのデコードの結果に基づいてＢＥＲを検出する。
【００２２】
音声選択部２５は、後述する出力放送切替部３２の制御の下、フルセグ放送用オーディオデコーダ部１９から入力するフルセグ放送の音声信号と、ワンセグ放送用オーディオデコーダ部２０から入力するワンセグ放送の音声信号とのうち、何れか一方の音声信号を選択的に出力する。音声選択部２５により出力された音声信号は、図示しない音声処理装置により音声として出力される。
【００２３】
映像選択部２６は、後述する出力放送切替部３２の制御の下、フルセグ放送用ビデオデコーダ部２１から入力するフルセグ放送の映像信号と、ワンセグ放送用ビデオデコーダ部２２から入力するワンセグ放送の映像信号とのうち、何れか一方の映像信号を選択的に出力する。音声選択部２５により出力された音声信号は、図示しない表示装置により映像として出力される。
【００２４】
本実施形態では、出力放送切替部３２の制御の下、音声選択部２５によりフルセグ放送の音声信号が出力され、かつ、映像選択部２６によりフルセグ放送の映像信号が出力されている状態が、フルセグ放送が出力されている状態に相当する。また、出力放送切替部３２の制御の下、音声選択部２５によりワンセグ放送の音声信号が出力され、かつ、映像選択部２６によりワンセグ放送の映像信号が出力されている状態が、ワンセグ放送が出力されている状態に相当する。なお、出力する放送をワンセグ放送とフルセグ放送との間で切り替える方法は、本実施形態で例示する方法に限らない。例えば、チューナ１０〜１３が受信する放送をフルセグ放送とワンセグ放送との間で切り替えることによって、出力する放送を切り替える構成でもよい。
【００２５】
チャンネル切替部２７は、図示しない操作部に対するユーザーの操作に応じて、または、制御部２４の制御に基づいて受信する放送のチャンネルを切り替える。
【００２６】
制御部２４は、マイクロコントローラ等の演算処理手段である。図２は、制御部２４の機能構成例を、上述したＢＥＲ検出部１６、Ｃ／Ｎ値検出部１７、音声選択部２５および映像選択部２６と共に示すブロック図である。図２に示すように、制御部２４は、機能構成として、Ｃ／Ｎ値記録部３０、閾値設定部３１および出力放送切替部３２を備えている。上記各機能ブロック３０〜３２は、ハードウェア、ＤＳＰ（Digital Signal Processor）、ソフトウェアの何れによっても構成することが可能である。例えばソフトウェアによって構成する場合、上記各機能ブロック３０〜３２は、実際にはコンピューターのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。また、制御部２４は、記憶手段として、使用閾値（後述）を記憶する閾値記憶部３３、および、Ｃ／Ｎ値推移情報（後述）を記憶するＣ／Ｎ値推移情報記憶部３４を備えている。
【００２７】
出力放送切替部３２は、使用閾値と、ＢＥＲ検出部１６により検出されたＢＥＲ（受信品質値）との比較に基づいて、フルセグ放送とワンセグ放送との間で出力する放送を切り替える。以下、出力放送切替部３２の処理について詳述する。
【００２８】
出力放送切替部３２は、デジタル放送受信装置１によりデジタル放送の受信が行われている間、所定の周期で以下の出力放送切替処理を実行する。出力放送切替処理において、まず、出力放送切替部３２は、ＢＥＲ検出部１６により検出されたＢＥＲを取得する。以下、ＢＥＲ検出部１６により検出されたＢＥＲを「検出ＢＥＲ」という。次いで、出力放送切替部３２は、閾値記憶部３３に記憶された使用閾値を取得する。後述するように、使用閾値の値は、閾値設定部３１によりフルセグ優先閾値と、ワンセグ優先閾値との何れかに設定される。
【００２９】
使用閾値を取得した後、出力放送切替部３２は、以下の処理を実行する。すなわち、出力放送切替部３２は、フルセグ放送を出力している場合において、取得した検出ＢＥＲが使用閾値を上回っていた場合（＝検出ＢＥＲの受信品質が、使用閾値が示すＢＥＲの受信品質よりも悪い場合）、出力する放送をフルセグ放送からワンセグ放送に切り替える。また、出力放送切替部３２は、ワンセグ放送を出力している場合において、取得した検出ＢＥＲが使用閾値以下の場合（＝検出ＢＥＲの受信品質が、使用閾値が示すＢＥＲの受信品質よりも良い場合）、出力する放送をワンセグ放送からフルセグ放送に切り替える。出力放送切替部３２は、上記２つの場合以外の場合は、出力する放送の切り替えを行わない。
【００３０】
なお、出力放送切替部３２は、音声選択部２５が出力する音声信号をフルセグ放送とワンセグ放送との間で切り替えると共に、映像選択部２６が出力する映像信号をフルセグ放送とワンセグ放送との間で切り替えることによって、出力する放送の切り替えを行う。以上の処理が、出力放送切替部３２により所定の周期で実行される出力放送切替処理である。
【００３１】
ここで、フルセグ優先閾値は、フルセグ放送を優先的に出力する場合に用いられる閾値であり、ワンセグ優先閾値よりも大きい（＝ワンセグ優先閾値よりも受信品質が悪い）。また、ワンセグ優先閾値は、ワンセグ放送を優先的に出力する場合に用いられる閾値であり、フルセグ優先閾値よりも小さい（＝フルセグ優先閾値よりも受信品質が良い）。すなわち、使用閾値の値がフルセグ優先閾値に設定されている場合、ワンセグ優先閾値の場合と比較して、フルセグ放送を受信中は検出ＢＥＲがより悪化したときにフルセグ放送からワンセグ放送に切り替わり、一方、ワンセグ放送を受信中は検出ＢＥＲがより悪い状態でもワンセグ放送からフルセグ放送に切り替わることになり、フルセグ放送が優先的に出力されることになる。逆に、使用閾値の値がワンセグ優先閾値に設定されている場合、フルセグ優先閾値の場合と比較して、フルセグ放送を受信中は検出ＢＥＲがより良好な状態でもフルセグ放送からワンセグ放送に切り替わり、一方、ワンセグ放送を受信中は検出ＢＥＲがより良好な状態となったときにワンセグ放送からフルセグ放送に切り替わることになり、ワンセグ放送が優先的に出力されることになる。
【００３２】
なお、本実施形態では、フルセグ優先閾値およびワンセグ優先閾値は、ＢＥＲを値として有する閾値であり、フルセグ放送とワンセグ放送との間での切り替えは、フルセグ優先閾値またはワンセグ優先閾値と検出ＢＥＲとが単純に比較されることによって行われるが、これは説明を明確にするため、処理の内容を単純化したものである。例えば、使用閾値がフルセグ優先閾値である場合において、検出ＢＥＲがフルセグ優先閾値を上回った後、検出ＢＥＲがフルセグ優先閾値を上回った状態が所定時間継続して続いたことを条件として出力する放送の切り替えを行う等、検出ＢＥＲと使用閾値との関係が所定の関係となってからの経過時間を、放送の切り替えを実行する条件に加味してもよい。
【００３３】
また、フルセグ優先閾値について、フルセグ放送からワンセグ放送に切り替えるときに用いる閾値と、ワンセグ放送からフルセグ放送に切り替えるときに用いる閾値とを異ならせてもよい。ワンセグ優先閾値についても同様である。ただし、この場合、「フルセグ放送からワンセグ放送に切り替えるときに用いるフルセグ優先閾値＞フルセグ放送からワンセグ放送に切り替えるときに用いるワンセグ優先閾値」、および、「ワンセグ放送からフルセグ放送に切り替えるときに用いるフルセグ優先閾値＞ワンセグ放送からフルセグ放送に切り替えるときに用いるワンセグ優先閾値」を満たすように、各フルセグ優先閾値、および、各ワンセグ優先閾値が設定される必要がある。
【００３４】
Ｃ／Ｎ値記録部３０は、Ｃ／Ｎ値検出部１７により検出されたＣ／Ｎ値に基づいて、随時、Ｃ／Ｎ値推移情報記憶部３４が記憶するＣ／Ｎ値推移情報の内容を更新する。Ｃ／Ｎ値推移情報は、現時点から予め定められた所定時間（例えば、３０秒）だけ遡った対象期間（＝現時点と、現時間から所定時間だけ遡った時点とで挟まれた期間）の間にＣ／Ｎ値検出部１７により検出されたＣ／Ｎ値の推移を示す情報であり、対象期間の間にＣ／Ｎ値検出部１７により検出されたＣ／Ｎ値が時系列に従って記録されている。Ｃ／Ｎ値記録部３０は、Ｃ／Ｎ値検出部１７により検出されたＣ／Ｎ値に基づいて、随時、Ｃ／Ｎ値推移情報の内容を更新する。
【００３５】
ここで、デジタル放送受信装置１は、動作モードとして、フルセグ優先モードと、ワンセグ優先モードと、自動設定モードとを備えている。ユーザーは、図示しない操作部に対して所定の操作を行うことによって動作モードを切り替えることが可能である。閾値設定部３１は、動作モードがフルセグ優先モードのときは、使用閾値の値を固定的にフルセグ優先閾値に設定する。この結果、動作モードがフルセグ優先モードの間、フルセグ放送が優先的に出力される。また、閾値設定部３１は、動作モードがワンセグ優先モードのときは、使用閾値の値を固定的にワンセグ優先閾値に設定する。この結果、動作モードがワンセグ優先モードの間、ワンセグ放送が優先的に出力される。
【００３６】
一方、閾値設定部３１は、動作モードが自動設定モードのときは、対象期間においてＣ／Ｎ値検出部１７により検出されたＣ／Ｎ値が所定範囲内に分布している確率を、対象期間においてＢＥＲ検出部１６により検出されたＢＥＲがフルセグ優先閾値付近で推移している確率として算出し、算出した確率が基準値を上回る場合は、使用閾値の値をワンセグ優先閾値に設定し、算出した確率が基準値以下の場合は、使用閾値の値をフルセグ優先閾値に設定する。以下、動作モードが自動設定モードのときの閾値設定部３１の処理について詳述する。以下では、Ｃ／Ｎ値検出部１７により検出されたＣ／Ｎ値を「検出Ｃ／Ｎ値」という。
【００３７】
閾値設定部３１は、動作モードが自動設定モードの間、所定の周期で以下の閾値設定処理を実行する。閾値設定処理において、まず、閾値設定部３１は、Ｃ／Ｎ値推移情報記憶部３４に記憶されたＣ／Ｎ値推移情報を取得する。次いで、閾値設定部３１は、取得したＣ／Ｎ値推移情報に基づいて、対象期間において、検出Ｃ／Ｎ値が範囲下端値から範囲上端値（ただし、範囲上端値＞範囲下端値）で挟まれる範囲（以下、「特定範囲」という）内に分布している確率を算出する。対象期間において検出Ｃ／Ｎ値が特定範囲内で推移している確率とは、対象期間の任意のタイミングにおいて検出Ｃ／Ｎ値が特定範囲内に位置している確からしさを意味し、当該確率が高ければ高いほど対象期間において検出Ｃ／Ｎ値が特定範囲内で推移していた期間が長いと言える。以下、対象期間において検出Ｃ／Ｎ値が特定範囲内で推移している確率を「特定確率」という。範囲下端値および範囲上端値は、以下の観点の下、事前に設定されている。
【００３８】
すなわち、範囲下限値および範囲上端値は、ある一定期間において、これらの値で挟まれた範囲内に検出Ｃ／Ｎ値が分布している確率の大きさと、その一定期間において、検出ＢＥＲがフルセグ優先閾値付近で推移している確率の大きさとの関係が、強い正の相関関係となるように事前の実験やシミュレーションに基づいて設定されている。従って、対象期間において検出Ｃ／Ｎ値が特定範囲内に分布している確率が大きければ大きいほど、その対象期間において検出ＢＥＲがフルセグ優先閾値付近で推移している確率が大きい。
【００３９】
閾値設定部３１は、例えば、以下の方法で特定確率を求める。すなわち、まず、閾値設定部３１は、Ｃ／Ｎ値推移情報に基づいて、対象期間における検出Ｃ／Ｎ値の平均値を求め、さらに、対象期間における検出Ｃ／Ｎ値の標準偏差を求める。次いで、閾値設定部３１は、平均値および標準偏差を定数として使用し、Ｃ／Ｎ値を変数とする確率密度関数について、範囲下限値から範囲上限値まで積分することによって、対象期間において検出Ｃ／Ｎ値が特定範囲内に分布する確率を算出する。式Ｓ１は、ある一のＣ／Ｎ値の確率密度を求めるための確率密度関数を示す数式である。
【００４０】
【数１】
2019192955.tif 000003
【００４１】
ただし、式Ｓ１において、「μ」は算出した平均値を示し、「σ」は算出した標準偏差を示す。
【００４２】
上述したように、対象期間において特定範囲内に検出Ｃ／Ｎ値が分布している確率の大きさと、対象期間において検出ＢＥＲがフルセグ優先閾値付近で推移している確率の大きさとには強い正の相関関係があるため、算出した特定確率は、対象期間において検出ＢＥＲがフルセグ優先閾値付近で推移している確率とみなすことができる。
【００４３】
なお、本実施形態では、確率密度関数を用いて特定確率を算出するが、この点に関し、以下の構成としてもよい。すなわち、閾値設定部３１が、Ｃ／Ｎ値推移情報記憶部３４に記憶されたＣ／Ｎ値推移情報に基づいて、対象期間に含まれる総サンプリング数に対する「特定範囲内にＣ／Ｎ値が位置していたタイミングの個数」の割合を、特定確率として算出する構成でもよい。つまり、本実施形態で例示した特定確率の算出方法は、あくまで一例であり、特定確率が他の方法で算出される構成でもよい。
【００４４】
特定確率を算出した後、閾値設定部３１は、算出した特定確率が予め定められた基準値を上回るか否か判定する。特定確率が基準値を上回る場合、閾値設定部３１は、閾値記憶部３３に記憶された使用閾値の値をワンセグ優先閾値に設定する。一方、特定確率が基準値以下の場合、閾値設定部３１は、閾値記憶部３３に記憶された使用閾値の値をフルセグ優先閾値に設定する。以上が閾値設定部３１により所定の周期で実行される閾値設定処理である。
【００４５】
基準値は、以下の観点の下で定められた閾値である。すなわち、基準値は、この基準値を特定確率が上回っている状況の場合、対象期間において検出ＢＥＲがフルセグ優先閾値付近で推移している可能性が高い状況であり、仮に使用閾値の値がフルセグ優先閾値であった場合、放送を視聴するユーザーが不快感を覚える程度に、出力される放送がフルセグ放送とワンセグ放送との間で頻繁に切り替わる可能性が高い値である。一例として、基準値は、６０パーセントである。
【００４６】
なお、対象期間は、現時点から一定期間だけ遡った期間である。このような対象期間において、特定確率が基準値を上回っている場合、対象期間において特定確率が基準値以下の場合と比較して、現時点以降もしばらくの間は、検出Ｃ／Ｎ値が特定範囲内で推移する可能性が高い（＝検出ＢＥＲがフルセグ優先閾値付近で推移する可能性が高い）ということが言える。つまり、仮に、現時点以降、使用閾値の値をフルセグ優先閾値に設定した場合、現時点以降もしばらくの間はフルセグ放送とワンセグ放送との間での切り替わりが頻繁に発生することが予想される。
【００４７】
以上のように、本実施形態では、閾値設定部３１は、「使用閾値がフルセグ優先閾値に設定されているとフルセグ放送とワンセグ放送との間で頻繁に切り替わりが発生し、かつ、使用閾値がフルセグ優先閾値に設定された状態を継続する限り今後も切り替わりが頻繁に発生することが予想される状況」の場合にのみ、使用閾値の値をワンセグ優先閾値に設定し、それ以外の場合は使用閾値の値をフルセグ優先閾値に設定する。このため、使用閾値がワンセグ優先閾値に設定される場合を、上記状況の場合のみに限定することができ、出力される放送の切り替えに用いる閾値をできるだけフルセグ放送を優先するフルセグ優先閾値となるようにすることができる。また、検出ＢＥＲがフルセグ優先閾値付近で推移している場合（正確には、Ｃ／Ｎ値の推移により、検出ＢＥＲがフルセグ優先閾値付近で推移していると予想される場合）には、使用閾値が、フルセグ優先閾値とは異なるワンセグ優先閾値に設定されるため、フルセグ放送とワンセグ放送との間での切り替えが頻繁に発生することを抑制できる。さらに、動作モードが自動設定モードのときは、使用閾値の値の設定は自動で実行されるため、使用閾値の値の設定に際しユーザーの作業が必要なく、ユーザーの煩雑さを低減できる。
【００４８】
なお、本実施形態では、閾値設定部３１は、対象期間において検出Ｃ／Ｎ値が特定範囲内に分布している確率を、対象期間において検出ＢＥＲがフルセグ優先閾値付近で推移している確率として算出した。対象期間において検出Ｃ／Ｎ値が特定範囲内に分布している確率を算出する理由は、以下である。すなわち、ＢＥＲは、数値の変化する範囲が狭く、また、非連続的に数値が変化する場合があるため（例えば、値が突然「０」となる等）、ある一定期間内で受信品質値が特定の範囲内に分布されている確率を算出するのに用いる指標として、ＢＥＲよりもＣ／Ｎ値の方が適しているからである。ただし、対象期間において検出ＢＥＲがフルセグ優先閾値を含む所定範囲内に分布している確率を算出し、算出した確率を利用して、対象期間において検出ＢＥＲがフルセグ優先閾値付近で推移している確からしさを検出する構成でもよい。
【００４９】
この他、出力放送切替部３２が、値としてＣ／Ｎ値を有する使用閾値と、検出Ｃ／Ｎ値との比較結果に基づいて、出力する放送を切り替える構成でもよい。この場合、閾値設定部３１は、特定確率が基準値を上回っているか否かを判定することによって、対象期間において検出Ｃ／Ｎ値がフルセグ優先閾値付近で推移しているか否かを判定する。
【００５０】
図３は、本実施形態に係るデジタル放送受信装置１について、所定の態様でＣ／Ｎ値検出部１７により検出されるＣ／Ｎ値が推移した場合の、検出ＢＥＲの推移、出力される放送が切り替わる様子、および、使用閾値の値が切り替わる様子を時間の経過に従って示す図である。図３において、横軸は時間の経過を示しており、図中で右に行くほど時間が経過していることを示している。
【００５１】
図３のグラフＧ１は、検出ＢＥＲの推移を示しており、グラフＧ１で上に向かうほど、検出ＢＥＲの値が大きい（検出ＢＥＲの受信品質が悪い）。図３のグラフＧ２は、Ｃ／Ｎ値検出部１７により検出されるＣ／Ｎ値の推移を示しており、グラフＧ２で上に向かうほど、検出Ｃ／Ｎ値の値が大きい（検出Ｃ／Ｎ値の受信品質が良い）。図３において、タイミングＴＭ０では、使用閾値の値はフルセグ優先閾値である。タイミングＴＭ０以降、所定の周期で、閾値設定部３１により閾値設定処理が実行されると共に、出力放送切替部３２により出力放送切替処理が実行される。
【００５２】
図３に示すように、タイミングＴＭ０からタイミングＴＭ１までの期間では、検出ＢＥＲはフルセグ優先閾値付近で推移しており、出力される放送が頻繁に切り替わっている。タイミングＴＭ０からタイミングＴＭ１までの期間における各タイミングにおいて閾値設定部３１により算出される特定確率は基準値以下であったものとし、タイミングＴＭ１で初めて算出される特定確率が基準値を上回ったとする。この場合、タイミングＴＭ１で、閾値設定部３１により使用閾値の値がワンセグ優先閾値に設定される。タイミングＴＭ１以降も、しばらくの間は検出ＢＥＲがフルセグ優先閾値付近で推移している状態が継続するが、この期間は使用閾値の値がワンセグ優先閾値に設定されるため、検出ＢＥＲが使用閾値よりも悪い状態が継続し、出力される放送は継続してワンセグ放送となる。つまり、タイミングＴＭ１で使用閾値の値がワンセグ優先閾値に設定されるため、検出ＢＥＲがタイミングＴＭ１以降も引き続きフルセグ優先閾値付近で推移しても、フルセグ放送とワンセグ放送との間での切り替わりが発生しない。
【００５３】
タイミングＴＭ１よりも後のタイミングＴＭ２付近を境として、検出ＢＥＲがフルセグ優先閾値付近で推移する状態が解消され、検出ＢＥＲが徐々に良好化していくとする。これに伴い、タイミングＴＭ３において、閾値設定部３１により算出される特定確率が基準値以下となったとする（ただし、タイミングＴＭ１からタイミングＴＭ３までの期間は、一貫して特定確率は基準値を上回っていたものとする）。この場合、タイミングＴＭ３で、閾値設定部３１により使用閾値の値がフルセグ優先閾値に設定される。図３に示すように、タイミングＴＭ３からタイミングＴＭ４まで、検出ＢＥＲがフルセグ優先閾値より小さい状態（フルセグ優先閾値より受信品質が良い状態）で安定的に推移したとすると、出力される放送は継続してフルセグ放送となり、フルセグ放送とワンセグ放送との間での切り替わりが発生しない。
【００５４】
図３において、タイミングＴＭ３以降は、検出ＢＥＲがフルセグ優先閾値付近で推移する期間がなく、従って、使用閾値がワンセグ優先閾値に設定されることがない。そして、タイミングＴＭ４付近を境として、検出ＢＥＲが徐々に悪化していき、タイミングＴＭ５で検出ＢＥＲがフルセグ優先閾値よりも悪化したとする。この場合、タイミングＴＭ５で出力される放送が、フルセグ放送からワンセグ放送に切り替わる。タイミングＴＭ５からタイミングＴＭ６まで、検出ＢＥＲがフルセグ優先閾値よりも悪化した状態で安定的に推移したとすると、出力される放送波継続してワンセグ放送となり、フルセグ放送とワンセグ放送との間での切り替わりが発生しない。
【００５５】
次に、デジタル放送受信装置１の動作例についてフローチャートを用いて説明する。
【００５６】
図４のフローチャートＦＡは、出力放送切替処理の実行時の出力放送切替部３２の動作例を示すフローチャートである。上述したように、出力放送切替部３２は、所定の周期で出力放送切替処理を実行する。フローチャートＦＡに示すように、出力放送切替部３２は、ＢＥＲ検出部１６により検出された検出ＢＥＲを取得する（ステップＳＡ１）。次いで、出力放送切替部３２は、閾値記憶部３３に記憶された使用閾値を取得する（ステップＳＡ２）。次いで、出力放送切替部３２は、出力中の放送がフルセグ放送かワンセグ放送かを判定する（ステップＳＡ３）。
【００５７】
出力中の放送がフルセグ放送の場合（ステップＳＡ３：「フルセグ放送」）、出力放送切替部３２は、ステップＳＡ１で取得した検出ＢＥＲが、ステップＳＡ２で取得した使用閾値を上回るか否か（検出ＢＥＲが使用閾値よりも悪化した状態か否か）を判定する（ステップＳＡ４）。検出ＢＥＲが使用閾値を上回る場合（ステップＳＡ４：ＹＥＳ）、出力放送切替部３２は、出力する放送をワンセグ放送に切り替え（ステップＳＡ５）、出力放送切替処理を終了する。また、検出ＢＥＲが使用閾値を上回らない場合（ステップＳＡ４：ＮＯ）、出力放送切替部３２は、出力放送切替処理を終了する。
【００５８】
一方、ステップＳＡ３において出力中の放送がワンセグ放送であると判定した場合（ステップＳＡ３：「ワンセグ放送」）、出力放送切替部３２は、ステップＳＡ１で取得した検出ＢＥＲが、ステップＳＡ２で取得した使用閾値以下か否か（検出ＢＥＲが使用閾値よりも良好化した状態か否か）を判定する（ステップＳＡ６）。検出ＢＥＲが使用閾値以下の場合（ステップＳＡ６：ＹＥＳ）、出力放送切替部３２は、出力する放送をフルセグ放送に切り替え（ステップＳＡ７）、出力放送切替処理を終了する。また、検出ＢＥＲが使用閾値以下ではない場合（ステップＳＡ６：ＮＯ）、出力放送切替部３２は、出力放送切替処理を終了する。
【００５９】
図５のフローチャートＦＢは、閾値設定処理の実行時の閾値設定部３１の動作例を示すフローチャートである。上述したように閾値設定部３１は、動作モードが自動設定モードの間、所定の周期で閾値設定処理を実行する。フローチャートＦＢに示すように、閾値設定部３１は、Ｃ／Ｎ値推移情報記憶部３４に記憶されたＣ／Ｎ値推移情報を取得する（ステップＳＢ１）。次いで、閾値設定部３１は、取得したＣ／Ｎ値推移情報に基づいて、特定確率を算出する（ステップＳＢ２）。
【００６０】
次いで、閾値設定部３１は、：ステップＳＢ２で算出した特定確率が、基準値を上回るか否か判定する（ステップＳＢ３）。特定確率が基準値を上回る場合（ステップＳＢ３：ＹＥＳ）、閾値設定部３１は、閾値記憶部３３に記憶された使用閾値の値をワンセグ優先閾値に設定し（ステップＳＢ４）、閾値設定処理を終了する。一方、特定確率が基準値以下の場合（ステップＳＢ３：ＮＯ）、閾値設定部３１は、閾値記憶部３３に記憶された使用閾値の値をフルセグ優先閾値に設定し（ステップＳＢ５）、閾値設定処理を終了する。
【００６１】
＜変形例＞
次に、上記実施形態の変形例について説明する。上記実施形態では、閾値設定部３１は、対象期間において検出ＢＥＲがフルセグ優先閾値付近で推移している状態の場合には、使用閾値の値をワンセグ優先閾値に設定した。一方で、本変形例に係る閾値設定部３１は、対象期間において検出ＢＥＲがフルセグ優先閾値付近で推移している状態であることを検出した場合、使用閾値の値を暫定閾値に設定する。暫定閾値は、フルセグ優先閾値よりも受信品質が良く、ワンセグ優先閾値よりも受信品質が悪い閾値である。ただし、暫定閾値は、フルセグ優先閾値を中心とする所定範囲よりも小さい値（所定範囲よりも受信品質が良い値）とされる。この所定範囲は、所定範囲内で検出ＢＥＲが推移している場合において、使用閾値がフルセグ優先閾値であった場合に、フルセグ放送とワンセグ放送との間で頻繁に切り替わりが発生してしまうような範囲である。暫定閾値は、ワンセグ優先閾値よりも受信品質が悪いため、使用閾値の値が暫定閾値の場合、ワンセグ優先閾値と比較して、より優先的にフルセグ放送が出力される。
【００６２】
使用閾値の値が暫定閾値に設定されると、検出ＢＥＲが使用閾値の付近で推移している状態が解消されるため、フルセグ放送とワンセグ放送との間で頻繁に包装が切り替わることが抑制される。その上で、使用閾値として、ワンセグ優先閾値と比較して、フルセグ放送がより優先して出力される暫定閾値が用いられるため、上記実施形態のように使用閾値の値がワンセグ優先閾値に設定される場合と比較して、できるだけ優先的にフルセグ放送を出力できる。なお、第１実施形態で説明した通り、検出ＢＥＲがフルセグ優先閾値の付近で推移している状態でなくなると、閾値設定部３１は、使用閾値の値をフルセグ優先閾値に設定する。これにより、フルセグ放送とワンセグ放送との間で頻繁に切り替わりが発生しないようにしつつ、できるだけ使用閾値の値をフルセグ優先閾値に設定することが可能である。
【００６３】
なお、上記実施形態は、本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【００６４】
例えば、上記実施形態では、対象期間において検出ＢＥＲがフルセグ優先閾値付近で推移しているか否かを判定する方法を具体的に説明したが、当該方法は上記実施形態で例示した方法に限られない。
【符号の説明】
【００６５】
１  デジタル放送受信装置
１６  ＢＥＲ検出部（受信品質値検出部）
１７  Ｃ／Ｎ値検出部（受信品質値検出部）
３１  閾値設定部
３２  出力放送切替部
【図１】
2019192955.tif 000004
【図２】
2019192955.tif 000005
【図３】
2019192955.tif 000006
【図４】
2019192955.tif 000007
【図５】
2019192955.tif 000008